(57)【要約】【解決手段】機器インサートを備える航空機ギャレーは、ギャレーインサートまたはギャレー機器、単一作業ラインで交換可能なユニットまたはコンポーネント化されたシステムの一部などの航空機構造物を航空機ギャレー内に配置及び取り付けるためのシステムであって、通常動作に必要な航空機構造物の機能コンポーネントを一次的に、構造的に支持するシステムを備える。当該システムは、断熱材（３０）を含むことができる、上部及び下部の固定式、滑動式またはフローティングコネクタ（２６）を有するインナーライナー（１０）を備える。【選択図】図１【特許請求の範囲】
【請求項１】
航空機ギャレー内に航空機構造物を配置及び取り付けるためのシステムであって、
航空機ギャレー内に航空機構造物を配置及び連結するように構成された構造インナーライナーであって、筐体を有する構造インナーライナーと、
前記航空機ギャレー内に前記筐体を取り付け及び配置するための少なくとも１つのコネクタと、
を備えるシステム。
【請求項２】
前記航空機構造物は、ギャレーインサートを含む、
請求項１に記載のシステム。
【請求項３】
前記航空機構造物は、ギャレー機器を含む、
請求項１に記載のシステム。
【請求項４】
前記航空機構造物は、単一ラインで交換可能なユニットを含む、
請求項１に記載のシステム。
【請求項５】
前記航空機構造物は、コンポーネント化されたシステムの一部を含む、
請求項１に記載のシステム。
【請求項６】
前記筐体は、一般的に、長方形の箱形状である、
請求項１に記載のシステム。
【請求項７】
前記筐体は、上壁、底壁、左側壁及び右側壁を備える、
請求項１に記載のシステム。
【請求項８】
前記航空機ギャレー内に筐体を配置及び取り付けるための少なくとも１つのコネクタは、固定式コネクタを含む、
請求項１に記載のシステム。
【請求項９】
前記航空機ギャレー内に筐体を配置及び取り付けるための少なくとも１つのコネクタは、滑動式コネクタを含む、
請求項１に記載のシステム。
【請求項１０】
前記航空機ギャレー内に筐体を配置及び取り付けるための少なくとも１つのコネクタは、フローティングコネクタを含む、
請求項１に記載のシステム。
【請求項１１】
前記航空機ギャレー内に筐体を配置及び取り付けるための少なくとも１つのコネクタは、断熱材を含む、
請求項１に記載のシステム。
【請求項１２】
前記航空機ギャレー内に筐体を配置及び取り付けるための少なくとも１つのコネクタは、前記上壁の上部外面に取り付けられたシャークフィンフローティングスタビライザを含む、
請求項７に記載のシステム。
【請求項１３】
前記航空機ギャレー内に筐体を配置及び取り付けるための少なくとも１つのコネクタは、前記底壁の下部外面の対応する複数の箇所に取り付けられた複数のセラミック絶縁体を含む、
請求項７に記載のシステム。
【請求項１４】
前記構造インナーライナーは、前記航空機構造物の通常動作に必要なコンポーネントを支持するように構成される、
請求項１に記載のシステム。
【請求項１５】
前記コンポーネントは、配線を含む、
請求項１４に記載のシステム。
【請求項１６】
前記コンポーネントは、配管を含む、
請求項１４に記載のシステム。
【請求項１７】
前記コンポーネントは、絶縁体を含む、
請求項１４に記載のシステム。
【発明の詳細な説明】
【技術分野】
【０００１】
関連出願の相互参照
本出願は、２０１３年６月１８日に出願された米国仮特許出願第６１／８３６，４３７号、及び、米国非仮特許出願第１４／３０３，９０３号の優先権を主張し、それらの内容を参照により組み込む。
【０００２】
本発明は、一般的に、輸送機ギャレーシステムに関し、特に、航空機ギャレー内にギャレーインサートまたはギャレー機器を配置し、取り付けるためのシステムに関する。
【背景技術】
【０００３】
機内食サービスを提供する民間航空機の航空機ギャレーシステムは、一般的に、航空機に搭乗中に提供される温かい食事を準備するため食料を加熱する独立したオーブンだけでなく、乗客に提供する前に食料が腐敗することを防止するため、及び、飲料を所望の提供温度に保つために、冷却された自立型冷蔵ユニットを内蔵している。現在、同じギャレーにおいて、または、異なるギャレーにおいて、加熱装置と冷却装置のそれぞれに対して別々に空間を割り当てなければならない。
【０００４】
既知のモジュール式航空機ギャレーには、スライドイン装置、または、ギャレーインサートやギャレー機器などの機器を収容するための数個の水平垂直構造要素を利用しているものがある。ギャレーは、スライドイン装置または機器との機械的接続及び連結のための接続要素を提供する本質的に変更不能な基本的要素となる構造要素を備え、様々な種類のスライドイン装置または機器が様々な場所で交換できるようになっている。このようなモジュール式航空機ギャレーシステムは、一般的に、ギャレーインサートまたはギャレー機器をギャレーの内部空洞またはライナーに配置するための主要な機構として、オーブン、冷蔵庫または他の装置などのギャレーインサートまたはギャレー機器の外ケースを用いる。
【０００５】
ギャレーインサートまたはギャレー機器の通常の動作機能に必要な、配線、配管、絶縁体などのギャレーインサートまたはギャレー機器の機能コンポーネントを一次的に構造的に支持することで、当該機能コンポーネントを構造ライナーに直接取り付けることができるか、または、構造ライナーから独立して配置することができる、航空機ギャレーまたは他の航空機構造物のインナーライナーを提供することが望ましい。また、そのようなインナーライナーが上部及び下部の固定式、滑動式またはフローティング取付ポイントを、個別または組み合わせて備えることが望ましい。さらに、そのような取付ポイントにおいてギャレー構造に熱遮断要素を随意的に組み込むことが望ましい。また、そのようなインナーライナーにより、単一の交換可能なギャレーインサートまたはギャレー機器を使用して、単一の作業ラインで交換可能なユニットを形成するか、または、コンポーネント化されたシステムの一部を形成することができ、従来のギャレーインサートまたはギャレー機器支持フレームまたはケースをなくすことで、航空機ギャレーシステムの重量を削減することができる。単一の作業ラインで交換可能なユニットをギャレーインサートまたはギャレー機器として使用せずに、モジュール式のコンポーネント作業ラインで交換可能なユニットをギャレーインサートまたはギャレー機器として使用すること、及び、従来のギャレーインサートまたはギャレー機器の設計をコンポーネント化することが望ましい。本発明は、これら及び他の要求を満たす。
【発明の概要】
【課題を解決するための手段】
【０００６】
手短に大まかに言うと、本発明は、航空機構造物の通常の動作機能に必要な航空機構造物の機能コンポーネントを一次的に構造的に支持することで、当該機能コンポーネントを直接取り付けるか、または、独立して配置することができる、航空機ギャレー内に航空機構造物を配置及び取り付けるためのシステムを提供する。当該システムは、上部及び下部の、固定式、滑動式、またはフローティングコネクタを個別または組み合わせて備えることができるインナーライナーであって、断熱材を随意的に組み込むことができるインナーライナーを提供する。当該システムにより、単一の交換可能なギャレーインサートまたはギャレー機器を使用して単一の作業ラインで交換可能なユニットを形成すること、または、コンポーネント化されたシステムの一部を形成することが可能となり、従来のギャレーインサートまたはギャレー機器支持フレームまたはケースをなくすことで航空機ギャレーシステムの重量を削減することが可能となり、単一の作業ラインでの交換可能なユニットをギャレーインサートまたはギャレー機器として使用することができ、従来のギャレーインサートまたはギャレー機器設計のコンポーネント化を可能にする。
【０００７】
従って、本発明は、航空機ギャレー内にギャレーインサートまたはギャレー機器を配置及び取り付けるため、航空機ギャレーシステム内に航空機構造物を配置及び取り付けるためのシステムを提供する。当該システムは、航空機ギャレー内に航空機構造物を配置及び連結するように構成された構造インナーライナーを備え、構造インナーライナーは、筐体と、航空機ギャレー内に筐体を取り付け、配置するための１つ以上のコネクタとを有する。現在好適な態様において、航空機構造物は、例えば、ギャレーインサートまたはギャレー機器、単一作業ラインで交換可能なユニット、または、コンポーネント化されたシステムの一部である。
【０００８】
別の現在好適な態様において、筐体は、一般的に長方形の箱形状であり、上壁、底壁、左側壁及び右側壁を備える。別の現在好適な態様において、航空機ギャレー内に筐体を配置及び取り付けるための１つ以上のコネクタは、例えば、固定式コネクタ、滑動式コネクタ、フローティングコネクタまたは断熱材でもよい。別の現在好適な態様において、航空機ギャレー内に筐体を配置及び取り付けるための１つ以上のコネクタは、上壁の上部外面に取り付けられたシャークフィン（ｓｈａｒｋｓ  ｆｉｎ）フローティングスタビライザを備えてもよい。別の現在好適な態様において、航空機ギャレー内に筐体を配置及び取り付けるための１つ以上のコネクタは、底壁の下部外面の対応する複数の箇所に設けられた複数のセラミック絶縁体を備えてもよい。別の現在好適な態様において、構造インナーライナーは、配線、配管、絶縁体などの、航空機構造物の通常動作に必要なコンポーネントを支持するように構成される。
【０００９】
本発明の他の特徴および利点が、例として、本発明の作用を図示する添付の図面と合わせて以下の好適な実施形態の詳細な記載から明らかになるだろう。
【図面の簡単な説明】
【００１０】
【図１】本発明に係る、航空機ギャレー内にギャレーインサートまたはギャレー機器を配置及び取り付けるためのシステムの斜視図である。
【発明を実施するための形態】
【００１１】
例示の目的のため及び例として提供される図面を参照すると、本発明は、航空機ギャレー内にギャレーインサートまたはギャレー機器を配置及び取り付けるためのシステムを提供する。
【００１２】
図に示すように、航空機ギャレー内にギャレーインサートまたはギャレー機器を配置及び取り付けるためのシステムは、（図示しない）航空機ギャレーまたは他の航空機構造物内に、（図示しない）オーブン、冷蔵庫などのギャレーインサートまたはギャレー機器を配置及び連結するための、一般的に長方形の箱形状の筐体１２を有する構造インナーライナー１０を備える。構造インナーライナーの一般的に長方形の箱形状の筐体は、上壁１４、底壁１６、左側壁１８及び右側壁２０を備える。
【００１３】
シャークフィンフローティングスタビライザまたはコネクタ２６は、好ましくは、上壁の上部外面２８に取り付けられ、複数のセラミック絶縁体３０は、好ましくは、底壁の下部外面３２の一般的に３カ所または４カ所に取り付けられる。
【００１４】
オーブン、冷蔵庫または他の調理または冷却装置、同様の構造物などのギャレーインサートまたはギャレー機器を配置及び取り付けるための、本発明のシステムに係る構造インナーライナーは、ギャレーインサートまたはギャレー機器の通常動作に必要なコンポーネント、配線、配管、絶縁体などを支持する。ギャレーインサート、ギャレー機器または他の構造物に構造インナーライナーを配置及び取り付けるための下部及び上部取付ポイントは、固定式、滑動式またはフローティング形式で、個別にまたは組み合わせて設けられてもよい。取付ポイントは、必要であれば、随意的に、ギャレー構造に断熱材を組み込んでもよく、ギャレーインサート、ギャレー機器または他の構造物の機能コンポーネントは、構造インナーライナーに直接取り付けられるか、または、独立して配置されてもよい。本発明の構造インナーライナーによって配置及び取り付けられたギャレーインサート、ギャレー機器または他の構造物は、単一の作業ラインで交換可能なユニットを形成するか、または、コンポーネント化されたシステムの一部を形成してもよい。本発明のシステムに係る構造インナーライナーは、ギャレーインサート、ギャレー機器または他の構造物のための従来の支持フレームまたはケースをなくすことで、重量を削減することができる。本発明のシステムに係る構造インナーライナーはまた、コンポーネントの作業ラインで交換可能なユニットを使用することで、サービスコストを削減することができる。
【００１５】
本発明の特定の形態について例示及び記載したが、種々の改良が、本発明の要旨及び範囲を逸脱しない範囲で可能であることは、前述により明らかであろう。従って、本発明は、添付の特許請求の範囲以外によって限定を受けることを意図されていない。
2016526505.tif 000002
【国際調査報告】
2016526505.tif 000003
2016526505.tif 000004
2016526505.tif 000005